(57)【要約】【課題】ページ番号と文字の認識結果に頼らずに、便利かつユーザの要望を反映する形で目次付きの画像データを形成できる画像形成装置及び画像形成方法を提供する。【解決手段】画像形成装置１００は、原稿を読み取ることによって、第１画像データを生成する画像読取部１０１と、ユーザの操作を受け付ける操作部１０２と、前記操作部に受け付けられたユーザの操作に基づいて、少なくとも１つの項目データを有する目次データを生成する生成部１０３と、前記操作部に受け付けられたユーザの操作に基づいて、前記第１画像データと前記項目データとを関連付ける関連付け部１０４と、前記目次データと前記第１画像データとを合成することによって、目次付きの第２画像データを生成する合成部１０５と、を含む。【選択図】図１Ａ
2016146171.tif 000002
【特許請求の範囲】
【請求項１】
原稿を読み取ることによって、第１画像データを生成する画像読取部と、
ユーザの操作を受け付ける操作部と、
前記操作部に受け付けられたユーザの操作に基づいて、少なくとも１つの項目データを有する目次データを生成する生成部と、
前記操作部に受け付けられたユーザの操作に基づいて、前記第１画像データと前記項目データとを関連付ける関連付け部と、
前記目次データと前記第１画像データとを合成することによって、目次付きの第２画像データを生成する合成部と、を含む
ことを特徴とする画像形成装置。
【請求項２】
前記画像読取部は、前記生成部により前記目次データが生成された後、前記原稿を読み取ることを特徴とする請求項１に記載の画像形成装置。
【請求項３】
前記原稿が複数ページを含むとき、前記関連付け部は、前記画像読取部による１ページの原稿の読み取りが完了した後、前記操作部に受け付けられたユーザの操作に基づいて、前記１ページの第１画像データと対応する前記項目データとを関連付け、
前記画像読取部は、前記関連付け部により前記１ページの第１画像データと対応する項目データとを関連付けた後、次のページの原稿を読み取る
ことを特徴とする請求項２に記載の画像形成装置。
【請求項４】
前記生成部は、ユーザによって入力された目次内容に基づいて、前記目次データを生成することを特徴とする請求項１に記載の画像形成装置。
【請求項５】
ユーザの操作に基づいて、予め記憶された目次データを選択する選択部をさらに含み、前記生成部は、ユーザによって入力された目次内容に基づいて前記予め記憶された目次データを更新することによって、前記目次データを生成することを特徴とする請求項１に記載の画像形成装置。
【請求項６】
前記生成部により生成された前記目次データを保存する記憶部をさらに含むことを特徴とする請求項１に記載の画像形成装置。
【請求項７】
前記操作部に受け付けられたユーザの操作に基づいて、前記目次データと前記第１画像データとの位置関係を設定する設定部をさらに含み、
前記合成部は、前記第２画像データを生成するとき、前記目次データを前記位置関係に対応する位置に合成することを特徴とする請求項１に記載の画像形成装置。
【請求項８】
原稿を読み取ることによって、第１画像データを生成するステップと、
ユーザの操作に基づいて、少なくとも１つの項目データを有する目次データを生成するステップと、
ユーザの操作に基づいて、前記第１画像データと前記項目データとを関連付けるステップと、
前記目次データと前記第１画像データとを合成することによって、目次付きの第２画像データを生成するステップと、を含む
ことを特徴とする画像形成方法。
【請求項９】
前記目次データを生成された後、前記原稿を読み取ることを特徴とする請求項８に記載の画像形成方法。
【請求項１０】
１ページの原稿の読み取りが完了することによって、１ページの第１画像データが生成された後、ユーザの操作に基づいて、前記１ページの第１画像データと対応する前記項目データとを関連付け、前記１ページの第１画像データと対応する項目データとを関連付けた後、次のページの原稿を読み取る
ことを特徴とする請求項９に記載の画像形成方法。
【発明の詳細な説明】
【技術分野】
【０００１】
本発明は、画像形成という分野に関し、特に画像形成装置及び画像形成方法に関する。
【背景技術】
【０００２】
従来の技術において、ユーザは画像形成装置を用いるとき、原稿の目次を形成したければ、原稿をスキャンし、画像データを生成するとともに、認識技術、例えば、光学式文字認識（Ｏｐｔｉｃａｌ  Ｃｈａｒａｃｔｅｒ  Ｒｅｃｏｇｎｉｔｉｏｎ，  ＯＣＲ）技術などを利用して、画像データにおける文字を認識し、認識結果に基づいて画像データにおける目次項目とページ番号を抽出し、目次を形成する必要がある。
【０００３】
上記の技術背景に対する紹介はただ本発明の技術内容を明瞭かつ完全に説明することを便利にするとともに、当業者に便利に理解させるために述べられたものに過ぎないということに注意すべきである。これらの技術内容が本発明の背景技術という部分で述べられたため、上記の技術内容を当業者にとって公知なものに見なすことができない。
【先行技術文献】
【特許文献】
【０００４】
【特許文献１】特開平８−１３７９０９号公報
【発明の概要】
【発明が解決しようとする課題】
【０００５】
本願の発明者は、現在、目次を形成する技術は、スキャンされた後で、形成された画像データのデータ構造に依存し、該画像データに認識可能なページ番号と文字がある場合のみに、目次を正確に形成することができ、画像データにおけるページ番号と文字が正確に認識されなければ、目次を正確に形成できないということを発見した。
【０００６】
本願の実施例は、ユーザの操作によって、目次データを便利に形成するとともに、目次データと原稿の画像データとを関連付けて合成することによって、ページ番号と文字の認識結果に頼らずに、便利かつユーザの要望を反映する形で目次付きの画像データを形成する画像形成装置及び画像形成方法を提供することを目的とする。
【課題を解決するための手段】
【０００７】
本発明に係る画像形成装置は、原稿を読み取ることによって、第１画像データを生成する画像読取部と、ユーザの操作を受け付ける操作部と、前記操作部に受け付けられたユーザの操作に基づいて、少なくとも１つの項目データを有する目次データを生成する生成部と、前記操作部に受け付けられたユーザの操作に基づいて、前記第１画像データと前記項目データとを関連付ける関連付け部と、前記目次データと前記第１画像データとを合成することによって、目次付きの第２画像データを生成する合成部と、を含むことを特徴とする。
【０００８】
本発明に係る画像形成方法は、原稿を読み取ることによって、第１画像データを生成するステップと、ユーザの操作に基づいて、少なくとも１つの項目データを有する目次データを生成するステップと、ユーザの操作に基づいて、前記第１画像データと前記項目データとを関連付けるステップと、前記目次データと前記第１画像データとを合成することによって、目次付きの第２画像データを生成するステップと、を含むことを特徴とする。
【発明の効果】
【０００９】
本発明の実施例の有益な効果は、本実施例によって、ユーザの操作に基づいて、目次データを生成するとともに、目次データと原稿の画像データとを関連付けて合成できるため、ページ番号と文字の認識結果に頼らずに、便利かつユーザの要望を反映する形で目次付きの画像データを形成できるということにある。
【図面の簡単な説明】
【００１０】
【図１Ａ】本願の実施例１の画像形成装置の一つの機能的構成の概略図である。
【図１Ｂ】本願の実施例１のデジタル複合機の一つの概略構成図である。
【図２】本願の実施例１の目次データの一つの概略図である。
【図３Ａ】本願の実施例１の第２画像データの一つの概略図である。
【図３Ｂ】本願の実施例１の第２画像データのもう一つの概略図である。
【図４】本願の実施例２の画像形成方法の一つのフローチャートである。
【図５】本願の実施例２の目次データを生成する界面の一つの概略図である。
【図６】本願の実施例２の目次データを生成する一つのフローチャートである。
【図７】本願の実施例２の関連付け界面の一つの概略図である。
【図８】本願の実施例２の関連付け界面のもう一つの概略図である。
【図９】本願の実施例２の順序設置界面の一つの概略図である。
【図１０】本願の実施例２の関連付け及び合成の一つのフローチャートである。
【発明を実施するための形態】
【００１１】
後述の説明と図を参照して、本発明の特定の実施形態を詳しく開示し、本発明の原理を採用可能な形態を明らかにする。本発明の範囲は、後述の実施形態によって制限されるものではないということを理解すべきである。記載された特許請求の範囲の思想と項目を逸脱しない範囲で、本発明の実施形態は複数の変更、補正と同等を含む。
【００１２】
一つの実施形態の記載及び／或いは示されている特徴に対して、同様又は類似した方法で一つ又は複数の他の実施形態で使用可能であり、他の実施形態における特徴と組み合わせるか、或いは他の実施形態における特徴を代替することができる。
【００１３】
強調すべきものであって、「含む／備える」という用語は、本文に使用されるとき、特徴、部材全体、ステップ或いは部材の存在を指すが、一つ又は複数の他の特徴、部材全体、ステップ或いは部材の存在／付加を排除しない。
【００１４】
図における部材は比例したものではなく模式的なものであり、本発明の原理を示すものに過ぎない。本発明のある部分を便利に示し及び記載するために、図における対応部分は拡大或いは縮小される可能性がある。
【００１５】
本発明の一つの図或いは一種の実施形態に記載の要素と特徴は、一つ或いは複数の他の図或いは実施形態に示されている要素と特徴とを組み合わせることができる。また、図において、類似する符号は、幾つかの図における対応する部材を表示するとともに、一種以上の実施形態に使用される対応部材を表示することができる。
【００１６】
図を参照して、以下の明細書によって、本発明の実施例の特徴を明らかにする。これらの実施例は、例示的なものに過ぎず、本発明に対する制限ではない。
【００１７】
《１》実施例１
《１−１》構成
本実施例は、画像形成装置を提供する。図１Ａは、該画像形成装置の一つの機能的構成の概略図であり、図１Ａに示されているように、該画像形成装置１００は、画像読取部１０１と、操作部１０２と、生成部１０３と、関連付け部１０４と、合成部１０５とを有する。
【００１８】
そのうち、画像読取部１０１は、原稿を読み取ることによって、第１画像データを生成し、操作部１０２は、ユーザの操作を受け付け、生成部１０３は、操作部１０２に受け付けられたユーザの操作に基づいて、少なくとも１つの項目データを有する目次データを生成し、関連付け部１０４は、操作部１０２に受け付けられたユーザの操作に基づいて、該第１画像データと該項目データとを関連付け、合成部１０５は、該目次データと該第１画像データとを合成することによって、目次付きの第２画像データを生成する。
【００１９】
本実施例において、生成部１０３により目次データを生成したあとで、該画像読取部１０１は、該原稿を読み取ることによって、第１画像データを生成する。また、画像読取部１０１により１ページの原稿を読み取ることが完了することによって１ページの第１画像データを生成したあとで、該関連付け部１０４は、操作部１０２に受け付けられたユーザの操作に基づいて、該１ページの第１画像データと対応する項目データとを関連付ける。該関連付け部１０４により該１ページの第１画像データと対応する該項目データとを関連付けたあとで、該画像読取部１０１は次の原稿を読み取る。
【００２０】
これにより、生成されたページごとに第１画像データと目次データとを関連付けることができ、関連付けし忘れ及び関連付けの間違いを防止することができる。もちろん、本実施例はそれに限らず、各部材も他の動作順序を用いても良く、たとえば、全ての第１画像データを生成したあとで、目次データを生成するとともに関連付けを行ってもよい。
【００２１】
本実施例において、画像読取部１０１は、原稿をスキャン或いは撮像することによって、第１画像データを形成することができる。たとえば、該画像読取部１０１は、スキャナ或いはカメラなどを含んでも良い。しかし、本実施例はそれに限らず、該画像読取部１０１は他の方法で原稿を読み取ることによって、第１画像データを形成してもよい。
【００２２】
本実施例において、操作部１０２は、ユーザの操作を受け付けることによって、これらの操作に対応する信号を生成し、たとえば、該操作部１０２は、タッチパネル、キーボード、及び／或いはノブ（すなわち、タッチパネル、キーボード、及びノブのうちの少なくとも一つ）などでもよい。かつ、ユーザの操作、たとえば、タッチパネルでアイコンをクリックし、アイコンをドラッグし、キーボード或いはタッチパネルで文字入力、及び／或いはノブを回動することなどでもよい。
【００２３】
本実施例において、生成部１０３はユーザの操作によって、目次データを生成することができる。たとえば、該生成部１０３は、ユーザに入力される目次内容、たとえば、目次における各項目データのインデックス及び／或いは名称（すなわち、インデックス及び名称のうちの少なくとも一つ）などの内容に基づいて、目次データを直接構築することができる。
【００２４】
また、既存の目次データに基づいて新しい目次データを生成することができ、たとえば、画像形成装置１００は、選択部１０６を含んでもよく、該選択部１０６は、ユーザの操作に基づいて、予め記憶された目次データを選択するとともに、該生成部１０３は、ユーザに入力された目次内容に基づいて、選択部１０６により選択された予め記憶された目次データを更新することによって、目次データを生成してもよい。これにより、目次データを生成する時間を短縮することができる。
【００２５】
図２は、本実施例の目次データの一つの概略図であり、図２に示されているように、目次データ２００は、複数の項目データ２０１Ａ−２０１Ｄ、２０２Ａ−２０２Ｅを有し、そのうち、２０１１、２０１２はそれぞれ項目データ２０１Ａのインデックスと名称を代表する。図２に記載の各項目データにおいて、項目データ２０１Ａ、２０１Ｂ、２０１Ｃと２０１Ｄは、同級項目データであり、項目データ２０２Ａと２０２Ｂは、同級項目データであり、項目データ２０１Ａの下級項目データであり、項目データ２０２Ｃ、２０２Ｄと２０２Ｅは同級項目データであり、項目データ２０１Ｃの下級項目データである。
【００２６】
本実施例において、関連付け部１０４は、ユーザの操作によって、第１画像データと目次データにおける項目データとを関連付けることができる。たとえば、ユーザによるアイコンに対するクリックなどの操作に基づいて、関連付ける必要がある項目データと第１画像データを確定するとともに、ユーザによる選択された第１画像データを選択された項目データにドラッグする操作によって両者を関連付けることができる。もちろん、本実施例はそれに限らず、該関連付け部１０４は、ユーザの他の操作に基づいて関連付けを行っても良い。
【００２７】
本実施例において、合成部１０５は、目次データと第１画像データとを合成することによって、目次付きの第２画像データを生成する。たとえば、合成部１０５は、該目次データを第３画像データに変換するとともに、該第３画像データと第１画像データとを合成することによって、第２画像データを形成することができる。図３Ａは、本実施例の第２画像データの一つの概略図であり、図３Ａに示されているように、第２画像データは、１ページ或いは複数ページの第１画像データと１ページ或いは複数ページの第３画像データとの合成でもよく、かつ、該第３画像データは、複数ページの第２画像データの最前面に位置する。
【００２８】
また、本実施例において、ユーザの操作に基づいて、目次データの位置を設置することができる。たとえば、該画像形成装置は、操作部１０２に受け付けられたユーザの操作に基づいて、目次データと第１画像データとの位置関係を設定する設定部１０７を含んでもよく、かつ、合成部１０５は、該位置関係に基づいて、目次データと第１画像データとを合成する。
【００２９】
たとえば、設定部１０７は、ユーザに入力されるページ番号に基づいて、第３画像データを複数ページの第１画像データの何ページ目の後ろ或いは前に挿入するように設定し、さらに、合成部は、第２画像データを生成する際、上記の設定に基づいて、第３画像データを該ページ番号に対応する位置に合成することができる。
【００３０】
これにより、ユーザの要望のように、目次データを第１画像データにおける適切な位置に設置することができる。図３Ｂは、本実施例の第２画像データのもう一つの概略図であり、図３Ｂに示されているように、該第３画像データは、第２画像データの１ページ目の後ろに位置し、該１ページ目はたとえばカバーページでもよい。
【００３１】
また、本実施例において、該画像形成装置１００は、記憶部１０８をさらに備えてもよく、該記憶部１０８は、生成部１０３に生成された目次データを保存し、外部メモリ媒体から導入された目次データもさらに保存できて、予め記憶された目次データとしてユーザに編集補正され、たとえば、該記憶部１０８は、不発揮性メモリ或いはハードディスクドライブ（Ｈａｒｄ  Ｄｉｓｋ  Ｄｒｉｖｅ，  ＨＤＤ）などでもよい。
【００３２】
本実施例において、該画像形成装置は、合成部１０５に生成された第２画像データを出力する出力部（未図示）も含んでも良い。
【００３３】
本実施例において、図１Ａにおける画像形成装置１００は、デジタル複合機の構成部分でもよい。図１Ｂは、本実施例のデジタル複合機の一つの概略構成図であり、図１Ｂに示されているように、該デジタル複合機１１０は、制御部１１１と、スキャナ１１２と、操作パネル１１３と、通信部１１４と記憶部１１５とを含んでも良い。
【００３４】
本実施例において、制御部１１１の機能はソフトウェアによって実現もでき、ハード回路によっても実現できる。図１Ｂに示されているように、該制御部１１１は、スキャナ制御部１１１１と、画像プレビュー制御部１１１２と、画像形成制御部１１１３と、操作パネル制御部１１１４と目次編集部１１１５などを含んでも良い。
【００３５】
そのうち、スキャナ制御部１１１１は、原稿をスキャンするようにスキャナ１１２を駆動するとともに、スキャンされた後で生成されたデータを画像形成制御部１１１３に渡すことによって、第１画像データを生成する。従って、該スキャナ制御部１１１１と、スキャナ１１２と、画像形成制御部１１１３とによって、図１Ａの画像読取部１０１の機能を実現した。
【００３６】
画像プレビュー制御部１１１２は、生成された第１画像データを操作パネル制御部１１１４に渡してページングプレビューを行うことができる。
【００３７】
操作パネル制御部１１１４は、操作パネルで表示される操作界面とプレビュー画像などの内容を制御できるとともに、ユーザによる操作パネルに対する操作によって、対応する制御指令を生成することができ、該操作パネル制御部１１１４と操作パネル１１３とを組み合わせることで、図１Ａの操作部１０２の機能を実現できる。
【００３８】
具体的には、該操作パネル制御部１１１４は、第１画像データを操作パネル１１３に渡し、操作パネル１１３に表示される第１画像データのプレビュー画面を形成することができるとともに、該操作パネル制御部１１１４は、さらに、操作パネル１１３に目次データ編集界面と関連付け界面とを表示させるように制御できる。
【００３９】
これにより、ユーザは、第１画像データをプレビューすると同時に目次データの編集操作及び関連付け操作を行うことができる。かつ、該操作パネル制御部１１１４は、さらにユーザによる目次データを編集する際の操作と関連付けを行う操作とを対応する編集指令と関連付け指令に変換して、目次編集部１１１５に送信することができる。
【００４０】
また、該操作パネル制御部１１１４は、ユーザの操作に基づいて、他の指令を生成してもよい。たとえば、予め記憶された目次データを選択する選択指令、目次データと第１画像データとの位置関係を設定する設定指令、及び／或いは後述の図９に示されている第１画像データの配列順序を設置する設置指令（すなわち、上記の選択指令、設定指令、及び設置指令のうちの少なくとも一つ）などが考えられる。
【００４１】
目次編集部１１１５は、操作パネル制御部１１１４から送信された編集指令と関連付け指令に基づいて、目次データを生成することができるとともに、目次データにおける項目データと第１画像データとを関連付けるとともに、関連付けが完了したあとで、目次データと第１画像データとを合成することによって、第２画像データを生成する。
【００４２】
また、目次編集部１１１５は、さらに、上記の選択指令、設定指令、及び／或いは設置指令などによって、対応する機能を完成することができる。従って、該目次編集部１１１５によって、図１Ａの生成部１０３、関連付け部１０４、合成部１０５、選択部及び設定部１０７などの機能を実現できる。
【００４３】
本実施例において、該複合機の操作パネル１１３は、第１画像データに対するプレビュー画像、及び後述の目次データを生成する界面、関連付け界面と順序設置界面などを表示することができる。
【００４４】
通信部１１４は、該複合機と外部とデータ通信を行うことに用いられる。
【００４５】
記憶部１１５は、不揮発性メモリ或いはハードディスクドライブ（Ｈａｒｄ  Ｄｉｓｋ  Ｄｒｉｖｅ，  ＨＤＤ）などでもよく、図１Ａに示されている記憶部１０８の機能を実現できる。該記憶部１１５は、目次編集部１１１５によりユーザの操作に基づいて生成され、具体的なデータ構造を実施例２の表１を参照できる目次データ１１５１と、画像形成制御部１１１３によって、スキャンされたデータから生成された第１画像データ及び目次編集部１１１５に生成された第２画像データ１１５３とを記憶することができる。
【００４６】
《１−２》効果
本実施例によって、ユーザの操作によって、目次データを生成するとともに、目次データと原稿の画像データとを関連付けて合成することによって、便利かつユーザの要望を反映する形で目次付きの画像データを形成することができる。
【００４７】
《２》実施例２
《２−１》構成
以下では、具体的な実例を組み合わせて本願の実施例２の画像形成方法を説明する。該方法は実施例１の画像形成装置に対応する。
【００４８】
本実施例の説明において、操作部はタッチパネルディスプレイでもよく、該タッチパネルディスプレイはユーザに操作される操作界面を表示できる。しかし、本実施例はそれに限らず、操作部は他の形態でもよい。
【００４９】
図４は、該画像形成方法の一つのフローチャートである。ステップＳ４０１では、原稿を読み取り、少なくとも１ページの第１画像データを形成する。ステップＳ４０２では、目次データを生成する必要があるか否かを操作界面に提示する。例えば、操作界面にラジオダイアログを表示してもよい。
【００５０】
ステップＳ４０３では、ユーザによる操作界面における操作に基づいて、例えば、ユーザがラジオダイアログにおける対応する選択肢を選択し、目次データを添加するか否かを判断する。ステップＳ４０３における判断結果が「いいえ」の場合、第２画像データを生成するステップを終了し、判断結果が「はい」の場合、ステップＳ４０４へ進む。
【００５１】
ステップＳ４０４では、目次データが生成された界面を表示し、生成部１０３はユーザの操作に基づいて、目次データを生成する。ステップＳ４０５では、第１画像データのプレビュー画面を生成する。ステップＳ４０６では、目次データ領域とプレビュー画面領域を含む関連付け界面を表示すると共に、関連付け部１０４は、ユーザによる該関連付け界面における操作に基づいて、第１画像データと目次データの項目データとを関連付ける。
【００５２】
ステップＳ４０７では、ユーザの操作に基づいて、例えば、ユーザは、関連付け界面上の確認アイコンをクリックするか否かなどにより、関連付けを終了するか否かを判断する。ステップＳ４０７において「いいえ」と判断されると、ステップＳ４０５へ戻り、「はい」と判断されると、ステップＳ４０８へ進む。
【００５３】
ステップＳ４０８では、合成部１０５は、目次データと第１画像データとを合成することによって、第２画像データを生成する。本実施例において、ステップＳ４０７とステップＳ４０８との間にステップＳ４０９をさらに有しても良い。ステップＳ４０７において、「はい」と判断されると、ステップＳ４０９へ進む。ステップＳ４０９において、目次データと第１画像データとの位置関係を設定する界面を表示できるため、ユーザの操作に基づいて、目次データを第１画像データの前或いは後ろに添加することができる。
【００５４】
本実施例において、目次データを生成する前に原稿を読み取るが、本実施例はそれに限らず、例えば、ステップＳ４０１をステップＳ４０４の後に設置してもよい。即ち、生成部１０３により目次データを生成した後、画像読取部１０１は原稿を読み取ると共に、ステップＳ４０１において、１ページの原稿のみを読み取ることによって、１ページの第１画像データを生成し、ステップＳ４０６において、該１ページの画像データと項目データとを関連付けるとともに、ステップＳ４０７において、関連付けが終了していないと判断される場合に、ステップＳ４０１へ戻し、次の原稿を読み取る。
【００５５】
図５は、本実施例の目次データを生成する界面の一つの概略図であり、図４のステップＳ４０４に対応する。図５に示されているように、該目次データの界面は目次データ５００と、チェックマーク５０１と、同級項目データ挿入アイコン５０２と、下級項目データ挿入アイコン５０３と、編集アイコン５０４と、削除アイコン５０５とを備える。そのうち、チェックマーク５０１は、ユーザ操作に基づいて選択された項目データ５００Ａの後ろに表示される。
【００５６】
同級項目データ挿入アイコン５０２は、選択された項目データ５００Ａの後ろに一つの同級の項目データを追加することを指示し、例えば、選択された項目データが「１．１」の場合、ユーザが該アイコン５０２をクリックすれば、項目データ「１．２」を生成するとともに、新しく生成された項目データ「１．２」は現在選択された項目データとなる。
【００５７】
下級項目データ挿入アイコン５０３は、選択された項目データの後ろに一つの下級の項目データを追加することを指示し、例えば、選択された項目データが「１．１」の場合、ユーザが該アイコン５０３をクリックすれば、インデックスが「１．１．１」の項目データを生成するとともに、新しく生成された項目データ「１．１．１」は現在選択された項目データとなる。
【００５８】
編集アイコン５０４は、選択された項目データの名称を編集することを指示し、例えば、選択された項目データが「１．１」の場合に、ユーザは該アイコン５０４をクリックしたあとで、文字を入力することで項目データの名称を編集することができる。
【００５９】
削除アイコン５０５は、選択された項目データを削除することを指示する。
【００６０】
図６は、本実施例の目次データを生成する一つのフローチャートであり、図４のステップＳ４０４におけるフローに対応する。ステップＳ６０１では、ユーザに入力されたインデックスと名称に基づいて、１番目の項目データを生成する。ステップＳ６０２では、目次データを生成することを終了するか否かを判断する。ステップＳ６０２において、「いいえ」と判断されると、ステップＳ６０３へ進み、「はい」と判断されると、終了する。
【００６１】
ステップＳ６０３では、同級項目データ又は下級項目データを挿入することを判断する。例えば、ユーザが図５におけるアイコン５０２又は５０３をクリックすることによって判断することができる。ステップＳ６０３において、同級項目データを挿入すると判断されると、ステップＳ６０４へ進み、下級項目データを挿入すると判断されると、ステップＳ６０５へ進む。
【００６２】
ステップＳ６０４では、現在の選択された項目データに基づいて、挿入された同級項目データのインデックスを算出する。ステップＳ６０５では、現在の選択された項目データに基づいて、挿入された下級項目データのインデックスを算出する。ステップＳ６０６では、ユーザに入力される挿入する項目データの名称に基づいて、該挿入される項目データを生成する。それから、ステップＳ６０２へ戻して目次データを終了するか否かを判断する。
【００６３】
本実施例のステップＳ６０１において、ユーザに入力されたインデックスと名称に基づいて、１番目の項目データを生成するが、本実施例はそれに限らず、例えば、ステップＳ６０１−１でステップＳ６０１を代替しても良く、ステップＳ６０１−１において、ユーザの操作に基づいて、予め記憶された目次データを選択し、さらにステップＳ６０２−ステップＳ６０６の処理によって、該予め記憶された目次データを更新することによって、新しい目次データを生成することができる。
【００６４】
図７は、本実施例の関連付け界面の一つの概略図であり、図７に示されているように、該関連付け界面は目次データ領域７０１とプレビュー領域７０２とを含むことができる。
【００６５】
該目次データ領域７０１において、目次データ７０１１と、チェックマーク７０１２と、編集アイコン７０１３と、確認アイコン７０１４などを備えても良い。そのうち、チェックマーク７０１２は、ユーザ操作により選択された項目データ７０１１Ａの後ろに位置してもよく、編集アイコン７０１３は、目次データを編集することを指示することができる。例えば、ユーザが該編集アイコン７０１３をクリックする場合に、図５に示されている目次データを生成する界面に切り換えることができるため、ユーザは目次データを編集できて、確認アイコン７０１４は、関連付けた結果を保存することを指示すると共に、該関連付け界面を終了する。
【００６６】
該プレビュー領域７０２において、各第１画像データのサムネイル７０３、７０４、７０５を表示でき、そのうち、サムネイル７０３は、既に項目データと関連付けられた第１画像データに対応するとともに、サムネイル７０３は、該第１画像データは既に関連付けられたことを表示する関連付けマーク７０３Ａを有することができ、サムネイル７０４は、ユーザ操作に基づいて選択された第１画像データに対応し、サムネイル７０５は、まだ関連付けられていなく選択されていない第１画像データを代表する。
【００６７】
本実施例において、該関連付け部１０４は、ユーザによりプレビュー領域７０２において選択されたサムネイル７０４を目次データ領域７０１の項目データ７０１１Ａにドラッグする操作によって、サムネイル７０４に対応する第１画像データと項目データ７０１１Ａとを関連付けることができる。
【００６８】
図８は、本実施例の関連付け界面のもう一つの概略図であり、図７の関連付け界面のうえ、目次選択アイコン８０１と目次保存アイコン８０２とを追加した。
【００６９】
図８に示されているように、目次選択アイコン８０１は、予め記憶された目次データを選択することを指示し、例えば、選択部１０６は、ユーザによる該アイコン８０１に対する操作に基づいて、予め記憶された目次データを選択するとともに、選択された予め記憶された目次データは目次データ領域７０１に表示されることができる。また、ユーザによる編集アイコン７０１３に対する操作に基づいて、図５に示されている目次データを生成する界面に切り換えることができるため、選択された予め記憶された目次データを更新することができる。
【００７０】
図８に示されているように、目次保存アイコン８０２は、現在の目次データを保存することを指示し、例えば、ユーザによる該アイコン８０２に対する操作に基づいて、目次データ領域７０１に示されている目次データを記憶部に保存するとともに、ユーザによる目次選択アイコン８０１に対する操作に基づいて、該保存される目次データを選択することができる。
【００７１】
本実施例において、項目データと第１画像データとを関連付ける場合に、さらにユーザの操作に基づいて、該項目データと関連付けられた第１画像データの配列順序を設置することができて、例えば、操作界面に順序設置界面を表示するとともに、ユーザの操作に基づいて該配列順序を設置することができる。
【００７２】
図９は、本実施例の順序設置界面の一つの概略図であり、図９に示されているように、該順序設置界面は、ページ番号入力フレーム９０１と、１ページ目ボタン９０２と、最後ページのボタン９０３と確認ボタン９０４とを有してもよい。
【００７３】
図９において、ページ番号入力フレーム９０１は、ユーザに入力される数字を受けることができるため、最新の１ページと該項目データに関連付けられた第１画像データとを該項目データに関連付けられた全ての第１画像データの何ページ目にするかを確定する。
【００７４】
１ページ目ボタン９０２は、該最新の関連付けられた第１画像データを該項目データにおける全ての第１の画像データの１ページ目にすることを指示する。最後ページのボタン９０３は、該最新の関連付けられた第１画像データを該項目データにおける全ての第１画像データの最後のページにすることを指定する。確認ボタン９０４は、該順序設置を完成することを指示するとともに、該順序設置界面を終了する。
【００７５】
図１０は、本実施例の関連付け及び合成を行うフローチャートであり、図４のステップＳ４０６−ステップＳ４０８に対応する。ステップＳ１００１では、関連付けが終了したか否かを判断する。「いいえ」と判断されると、ステップＳ１００２へ進み、「はい」と判断されると、ステップＳ１００６へ進む。
【００７６】
ステップＳ１００２では、選択された第１画像データと選択された項目データとを関連付ける。例えば、ユーザによる図７の関連付け界面における操作に基づいて、関連付けることができる。ステップＳ１００３では、該選択された項目データに関連付けられた第１画像データの配列順序を設置する。例えば、ユーザによる図８の順序設置界面における操作に基づいて、該配列順序を設置することができる。
【００７７】
ステップＳ１００４では、該選択された項目データの関連付け情報を反映する情報を生成する。ステップＳ１００５では、ステップＳ１００４において生成された情報に基づいて、目次データのデータ構造を更新するとともにステップＳ１００１へ戻す。ステップＳ１００６では、関連付けが終了した場合に、該目次データは第３画像データに変換されることができる。
【００７８】
ステップＳ１００７では、該第３画像データと第１画像データとを合成することにより、第２画像データを生成する。本実施例のステップＳ１００７において、目次データにおける各項目データの順序に基づいて、各第１画像データを新たに配列することができるとともに、同一の項目データにおける各第１画像に対して、ステップＳ１００３において設置された順序によって、新たに配列することができて、さらに、新たに配列された画像データと目次画像データとを合成することにより、目次順序によって配列された画像データを形成する。
【００７９】
また、本実施例のステップＳ１００７において、また、ユーザの操作に基づいて、第３画像データと第１画像データとの位置関係を設定することができるとともに、合成部は、該位置関係に基づいて、該第３画像データと第１画像データとを合成することができる。
【００８０】
下記の表１は、関連付けた後で形成された目次データ構造を示し、そのうち、項目データＩＤは生成部１０３によって自動生成されることができる。インデックスは、ユーザの操作に基づいて生成されることができる。項目名称は、ユーザの操作に基づいて生成されることができる。上級項目データＩＤは、生成部１０３によって自動生成されることができる。
【００８１】
第１画像データＩＤリスト、該項目データにおける第１画像データＩＤのリストについて、そのうち、該第１画像データＩＤは画像読取部１０１によって生成されることができる。開始ページ番号とは、該項目データにおける第１画像データの開始ページ番号を指す。終了ページ番号とは、該項目データにおける第１画像データの終了ページ番号を指す。
【００８２】
【表１】
2016146171.tif 000003
【００８３】
《２−２》効果
本実施例において、ユーザの操作に基づいて、目次データを生成できると共に、目次データと原稿の画像データとを関連付けて合成することができるため、便利かつユーザの要望を反映する形で目次付きの画像データを形成することができる。
【００８４】
《３》変形例
上記、具体的な実施形態を組み合わせることで本発明を記載したが、当業者にとって、これらの記載は例示的なものであって、本発明実施例の特許請求する範囲に対する制限ではない。当業者は、本発明の思想と原理に基づいて、本発明に対して各種の変形と補正をしてもよく、これらの変形と補正も本発明の範囲内にある。
【符号の説明】
【００８５】
１００  画像形成装置、  １０１  画像読取部、  １０２  操作部、  １０３  生成部、  １０４  関連付け部、  １０５  合成部、  １０６  選択部、  １０７  設定部、  １０８  記憶部、  １１０  デジタル複合機、  １１１  制御部、  １１２  スキャナ、  １１３  操作パネル、  １１４  通信部、  １１５  記憶部、  ２００  目次データ、  ２０１Ａ，２０１Ｂ，２０１Ｃ，２０１Ｄ，２０１Ｅ，２０２Ａ，２０２Ｂ，２０２Ｃ，２０２Ｄ，２０２Ｅ  項目データ、  ５００  目次データ、  ５０１  チェックマーク、  ５０２  同級項目データ挿入アイコン、  ５０３  下級項目データ挿入アイコン、  ５０４  編集アイコン、  ５０５  削除アイコン、  ７０１  目次データ領域、  ７０２  プレビュー領域、  ８０１  目次選択アイコン、  ８０２  目次保存アイコン、  ９０１  ページ番号入力フレーム、  ９０２  １ページ目ボタン、  ９０３  最後ページのボタン、  ９０４  確認ボタン、  １１１１  スキャナ制御部、  １１１２  画像プレビュー制御部、  １１１３  画像形成制御部、  １１１４  操作パネル制御部、  １１１５  目次編集部、  ２０１１，２０１２  項目データ２０１Ａのインデックス、  ７０１１  目次データ、  ７０１１Ａ  項目データ、  ７０１２  チェックマーク、  ７０１３  編集アイコン、  ７０１４  確認アイコン。
【図１Ａ】
2016146171.tif 000004
【図１Ｂ】
2016146171.tif 000005
【図２】
2016146171.tif 000006
【図３Ａ】
2016146171.tif 000007
【図３Ｂ】
2016146171.tif 000008
【図４】
2016146171.tif 000009
【図５】
2016146171.tif 000010
【図６】
2016146171.tif 000011
【図９】
2016146171.tif 000012
【図１０】
2016146171.tif 000013
【図７】
2016146171.tif 000014
【図８】
2016146171.tif 000015